(57)【要約】【課題】釣り竿の重心を安定させ、かつメンテナンス容易でユーザの好みに応じて電源ケーブルをカスタマイズ可能な釣り竿のグリップ及びそのための固定具を提供する。【解決手段】本発明に係る釣り竿１００のグリップ１０は、リールシート５０に設けられている電動リール３０に接続された電源ケーブル６０に包接するケーブル包接部と、グリップ１０に包接するグリップ包接部と、を備える固定具２０を備える、構成とした。【選択図】図１
2018130084.tif 000002
【特許請求の範囲】
【請求項１】
リールシートに設けられている電動リールに接続された電源ケーブルに包接するケーブル包接部と、
グリップに包接するグリップ包接部と、
を備える固定具を備える、
構成とした釣り竿のグリップ。
【請求項２】
前記ケーブル包接部及び前記グリップ包接部は、一つの向かい合う二辺が平行して湾曲し、他の向かい合う二辺が平行に対峙している板状部材であり、
前記ケーブル包接部の他の向かい合う二辺と、前記グリップ包接部の他の向かい合う二辺は連接しており、
前記固定具は、略筒状である、
構成とした請求項１に記載の釣り竿のグリップ。
【請求項３】
前記ケーブル包接部及び／又は前記グリップ包接部は、一部が欠落した略多角形状に前記湾曲している、
構成とした請求項２に記載の釣り竿のグリップ。
【請求項４】
前記ケーブル包接部及び／又は前記グリップ包接部は、円弧状に前記湾曲している、
構成とした請求項２又は３に記載の釣り竿のグリップ。
【請求項５】
前記グリップには、その軸心と平行に切欠が設けられており、
前記電源ケーブルの一部が、前記切欠に配置される、
構成とした請求項１乃至４の何れか１項に記載の釣り竿のグリップ。
【請求項６】
前記切欠には、前記グリップのロッドエンド側の端に達し、該グリップの軸心を超える深さの第１の溝が設けられており、
前記グリップのロッドエンドにはさらに、
軸心を超える深さで、その軸心に平行に、両端に達する状態で第２の溝が設けられた円柱状部材と、
前記円柱状部材を前記グリップのロッドエンドに対して回転可能に支持する支持部材と、
を備えるケーブル掴時部を備え、
前記第１の溝と前記第２の溝は、
前記円柱状部材のロッドエンド側の端から見て重なった状態で、前記電源ケーブルを連続して配置することができ、
前記円柱状部材が、前記グリップのロッドエンドに対して回転した状態で、前記円柱状部材のロッドエンド側の端から見て、一の孔を形成し、その孔に前記電源ケーブルが配置され、該電源ケーブルをロック状態に保持する、
構成とした請求項５に記載の釣り竿のグリップ。
【請求項７】
リールシートに設けられている電動リールに接続された電源ケーブルに包接するケーブル包接部と、
グリップに包接するグリップ包接部と、
を備える構成とした固定具。
【発明の詳細な説明】
【技術分野】
【０００１】
本発明は、釣り竿のグリップ及び固定具に関する。
【背景技術】
【０００２】
カワハギ、アジといった小型の魚からヒラマサ、カンパチといった大型の魚まで、様々な種類の魚を釣り上げる際に、釣り竿に装着して使用する電動リールが広く利用されている。この電動リールへの給電方法として、外部のバッテリから電源ケーブルを介して給電する方法が用いられることがあるが、電源リールへ直接電源ケーブルを接続すると、釣り竿の重心を奪い、食いついた魚を引き上げる際に支障を来すことがある。
釣り竿の重心を移動させないために、特許文献１には、釣り竿のグリップ部分の軸心に沿って設けた貫通孔に、電動リールに接続させる導電コードを挿通させ、電源ケーブルを釣り竿の持ち手側の終端に接続させる釣り竿が開示されている。
【先行技術文献】
【特許文献】
【０００３】
【特許文献１】特開２００７−３００８４１号公報
【発明の概要】
【発明が解決しようとする課題】
【０００４】
しかしながら、特許文献１に記載された釣り竿は、導電コードがグリップ部分に組み込まれているため、導電コードが断線したり腐食したりした際にメンテナンスをするのが容易ではない。また、グリップ部分に設けた貫通孔の径によって、導電コードの種類が制限されるため、ユーザの好みに応じて導電コードをカスタマイズすることができないという不便がある。
【０００５】
本発明は、このような実情に鑑みてなされたものであり、釣り竿の重心を安定させ、かつメンテナンス容易でユーザの好みに応じて電源ケーブルをカスタマイズ可能な釣り竿のグリップ及びそのための固定具を提供することを目的とする。
【課題を解決するための手段】
【０００６】
上述した課題を解決するために、本発明の第１の観点に係る釣り竿のグリップは、
リールシートに設けられている電動リールに接続された電源ケーブルに包接するケーブル包接部と、
グリップに包接するグリップ包接部と、
を備える固定具を備える、
構成とした。
【０００７】
前記ケーブル包接部及び前記グリップ包接部は、一つの向かい合う二辺が平行して湾曲し、他の向かい合う二辺が平行に対峙している板状部材であり、
前記ケーブル包接部の他の向かい合う二辺と、前記グリップ包接部の他の向かい合う二辺は連接しており、
前記固定具は、略筒状である、
構成としてもよい。
【０００８】
前記ケーブル包接部及び／又は前記グリップ包接部は、一部が欠落した略多角形状に前記湾曲している、
構成としてもよい。
【０００９】
前記ケーブル包接部及び／又は前記グリップ包接部は、円弧状に前記湾曲している、
構成としてもよい。
【００１０】
前記グリップには、その軸心と平行に切欠が設けられており、
前記電源ケーブルの一部が、前記切欠に配置される、
構成としてもよい。
【００１１】
前記切欠には、前記グリップのロッドエンド側の端に達し、該グリップの軸心を超える深さの第１の溝が設けられており、
前記グリップのロッドエンドにはさらに、
軸心を超える深さで、その軸心に平行に、両端に達する状態で第２の溝が設けられた円柱状部材と、
前記円柱状部材を前記グリップのロッドエンドに対して回転可能に支持する支持部材と、
を備えるケーブル掴時部を備え、
前記第１の溝と前記第２の溝は、
前記円柱状部材のロッドエンド側の端から見て重なった状態で、前記電源ケーブルを連続して配置することができ、
前記円柱状部材が、前記グリップのロッドエンドに対して回転した状態で、前記円柱状部材のロッドエンド側の端から見て、一の孔を形成し、その孔に前記電源ケーブルが配置され、該電源ケーブルをロック状態に保持する、
構成としてもよい。
【００１２】
本発明の第２の観点にかかる固定具は、
リールシートに設けられている電動リールに接続された電源ケーブルに包接するケーブル包接部と、
グリップに包接するグリップ包接部と、
を備える構成とした。
【発明の効果】
【００１３】
本発明によれば、釣り竿の重心を安定させることができ、かつ釣り竿のメンテナンスが容易で、ユーザの好みに応じて電源ケーブルをカスタマイズすることができる。
【図面の簡単な説明】
【００１４】
【図１】第１実施形態に係る釣り竿のロッドエンドからリールシートまでの構造を示した概略図である。
【図２】固定具の一例を示した斜視図である。
【図３】固定具でグリップに電源ケーブルを固定した場面を示した斜視図である。
【図４】固定具の他の例を示した斜視図である。
【図５】第２実施形態に係る釣り竿のグリップの構造を示した概略図である。
【図６】（ａ）第１の溝と第２の溝が重なって一の溝を形成しているときの釣り竿のグリップの平面図である。（ｂ）ケーブル掴持部をある程度回転したときの釣り竿のグリップの平面図である。
【図７】（ａ）釣り竿のグリップとケーブル掴持部の斜視図である。（ｂ）ケーブル掴持部を回転し、第１の溝と第２の溝の中心部分のみが重なっている場合にケーブル掴持部をロッドエンド側の端から見たときの平面図である。（ｃ）第１の溝と第２の溝とが一の溝を形成している場合にケーブル掴持部をロッドエンド側の端から見たときの平面図である。
【発明を実施するための形態】
【００１５】
（第１実施形態）
本発明の第１実施形態に係る釣り竿のグリップ及び固定具について、図面を参照して説明する。
【００１６】
図１に示すように、釣り竿１００のグリップ１０は、釣り竿１００のロッドエンドに位置する部品であり、ユーザが釣り竿１００を操作する際に持ち手となる部分である。グリップ１０には、固定具２０が設けられている。また、グリップ１０のトップ側には、電動リール３０が設けられている。電動リール３０は、魚がかかり、ユーザが釣り竿１００を引き上げる際に、その動力を提供する装置である。電動リール３０は、ブランク４０に備えられているリールシート５０に設置されている。
【００１７】
固定具２０は、外部電源から電動リール３０に電力を供給するための電源ケーブル６０をグリップ１０に固定するための部品である。固定具２０は、アルミニウム、ステンレス、プラスチック、木材等からなり、図２に示すように、略環状の形状を備える。
固定具２０は、電源ケーブル６０に包接するケーブル包接部２１と、グリップ１０に包接するグリップ包接部２２と、を備える。図３に示すように、ケーブル包接部２１が電源ケーブル６０を向心方向に包接し、グリップ包接部２２がグリップ１０を向心方向に包接することによって、グリップ１０と電源ケーブル６０とが密接して束ねられるように、互いに固定される。
【００１８】
図２に戻り、ケーブル包接部２１は、例えば略Ｕ時型の形状を備える板状部材である。ケーブル包接部２１は、板状の一つの向かい合う二辺が平行して湾曲し、他の向かい合う二辺が平行に対峙するように、形成されている。
グリップ包接部２２は、例えば略コの字型の形状を備える板状部材である。グリップ包接部２２は、ケーブル包接部２１と同様に、板状の一つの向かい合う二辺が平行して湾曲し、他の向かい合う二辺が平行に対峙するように、形成されている。
ケーブル包接部２１とグリップ包接部２２は、略多角形状に湾曲していてもよいし、円弧状に湾曲していてもよい。
ケーブル包接部２１とグリップ包接部２２は、一連の板状部材からなり、板状の一部が重なるように形成されていてもよい。また、ケーブル包接部２１’とグリップ包接部２２’は、図４に示すように、一部が分離して形成されていてもよい。さらに、ケーブル包接部２１とグリップ包接部２２とは、グリップ１０及び電源ケーブル６０の形状に合わせて、共に円弧状に形成されていてもよい。
【００１９】
本実施形態に係る釣り竿１００のグリップ１０及び固定具２０によれば、電源ケーブル６０がグリップ１０に固定されるため、電源ケーブル６０が電動リール３０から垂れ下がることがなく、ひいては、釣り竿１００全体の重心を奪うことがない。これにより、ユーザは食いついた魚を引き上げる際に、電源ケーブル６０に動作を奪われずに、釣り竿１００を操作することができる。
また、グリップ１０と電源ケーブル６０とを固定具２０で束ねれば本発明を達成するため、ユーザに余計な手間を取らせることがなく、さらにユーザの好みの電源ケーブル６０をカスタマイズすることができ、メンテナンスも容易である。
【００２０】
（第２実施形態）
次に、本発明の第２実施形態に係る釣り竿のグリップについて、図面を参照して説明する。
【００２１】
図５に示すように、釣り竿１００のグリップ１０は、そのロッドエンド側の端にケーブル掴持部１１を備え、側面に切欠１２が設けられている。切欠１２には、電源ケーブル６０が配置され、ユーザがグリップ１０を握る際に、グリップ１０と共に電源ケーブル６０を容易に握ることができるようになっている。
ケーブル掴持部１１は、略円柱状の部材であり、不図示の支持部材によってグリップ１０のロッドエンドに介して回転可能に支持されている。支持部材は、ケーブル掴持部１１をグリップ１０のロッドエンドに回転可能に支持すれば、どのような形態のものでもよいが、例えば、微小角度毎にストッパを有し、任意の角度で回転を保持できるようなものが好ましい。
【００２２】
図６（ａ）に示すように、グリップ１０には、第１の溝１３が設けられており、ケーブル掴持部１１には、第２の溝１４が設けられている。
第１の溝１３は、図７（ａ）に示すように、グリップ１０のロッドエンド側の端に達し、グリップ１０の軸心を超える深さで設けられている。
また、第２の溝１４は、ケーブル掴持部１１の軸心を超える深さで、その軸心と平行に設けられており、ケーブル掴持部１１の円柱形状の両底辺に達している。
第１の溝１３及び第２の溝１４には、電動リール３０に接続された電源ケーブル６０が嵌め込まれて配置される。電源ケーブル６０は、第１の溝１３及び第２の溝１４に配置されることによって、グリップ１０に安定して保持される。
【００２３】
図７（ａ）示すように、ケーブル掴持部１１がグリップ１０のロッドエンド側の端に対してある程度（例えば９０°）回転した場合、図７（ｂ）に示すように、ケーブル掴持部１１のロッドエンド側の端から見ると、第１の溝１３と第２の溝１４の中心部分のみが重なって、孔Ｈを形成する。このとき、グリップ１０を切欠１２の上面から見ると、図６（ｂ）のようになる。この状態から図７（ａ）の矢印Ａの方向に、ケーブル掴持部１１を回転させると、第１の溝１３と第２の溝１４の全体同士が重なって図７（ｃ）に示す状態となる。
【００２４】
図７（ｃ）に示す状態の時に、電源ケーブル６０を第１の溝１３及び第２の溝１４に嵌め込み、ケーブル掴持部１１を図７（ａ）の矢印Ｂの方向に、例えば９０°回転させると、図７（ｂ）に示す孔Ｈに電源ケーブル６０が保持される。これにより、電源ケーブル６０は、グリップ１０に固定され、換言すれば、ロックされることとなる。
【００２５】
本実施形態に係る釣り竿１００のグリップ１０によれば、電源ケーブル６０がグリップ１０に固定されるため、電源ケーブル６０が電動リール３０から垂れ下がることがなく、ひいては、釣り竿１００全体の重心を奪うことがない。これにより、ユーザは食いついた魚を引き上げる際に、電源ケーブル６０に動作を奪われずに、釣り竿１００を操作することができる。
また、第１の溝１３と第２の溝１４に電源ケーブル６０を嵌め込み、ケーブル掴持部１１を回転すれば、簡単に電源ケーブル６０をグリップ１０に固定できるため、ユーザに余計な手間を取らせることがない。さらにユーザの好みの電源ケーブル６０をカスタマイズすることができ、メンテナンスも容易である。
【００２６】
（変形例）
上述した第１実施形態及び第２実施形態を組み合わせることももちろん可能である。すなわち、固定具２０が、切欠１２に配置された電源ケーブル６０をグリップ１０に固定するようにしてもよい。このように構成することで、電源ケーブル６０は、固定具２０と、ユーザの手と、ケーブル掴持部１１とによって、より強固にグリップ１０に固定されることなる。
【００２７】
第２実施形態において、グリップ１０に、ケーブル掴持部１１が備えられていなくてもよい。この場合、切欠１２に第１の溝１３が設けられている場合には、第１の溝１３に電源ケーブル６０を嵌め込むことで、電源ケーブル６０を保持してもよい。この場合でも、ユーザは、グリップ１０と電源ケーブル６０とを共に握ることが容易となるため、電源ケーブル６０が電動リール３０から垂れ下がることがなく、釣り上げ操作に支障を来さない。
【００２８】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００２９】
１０：グリップ
１１：ケーブル掴持部
１２：切欠
１３：第１の溝
１４：第２の溝
２０、２０’：固定具
２１、２１’：ケーブル包接部
２２、２２’：グリップ包接部
３０：電動リール
４０：ブランク
５０：リールシート
６０：電源ケーブル
１００：釣り竿
Ｈ：孔
【図１】
2018130084.tif 000003
【図２】
2018130084.tif 000004
【図３】
2018130084.tif 000005
【図４】
2018130084.tif 000006
【図５】
2018130084.tif 000007
【図６】
2018130084.tif 000008
【図７】
2018130084.tif 000009